(57)【要約】【課題】  楽器本体へのスタンドの取付けを簡単かつ迅速に行えるとともに、スタンドに対する楽器本体の左右方向のぐらつきを抑制することができる鍵盤楽器のスタンド取付構造を提供する。【解決手段】左右一対のスタンド本体２１、２１の各々の上端部に固定されたスタンド側取付部３３と、取付孔３５ａを有しかつピアノ本体２が載置されるピアノ本体側取付部３５とを有する取付金具３１と、取付孔３５ａに下方から挿入されるとともに、ピアノ本体２の底部にねじ込まれた取付ねじ３６と、左右一対のスタンド本体２１、２１の各々の上面、およびピアノ本体２の底面の左右の各端部のいずれか一方に、取付金具３１から左右方向に離れた位置に固定されたフック金具１２と、左右一対のスタンド本体２１、２１の各々の上面、およびピアノ本体２の底面の左右の各端部の他方に固定されるとともに、フック金具１２に係合するフック受け金具３２と、を備えている。【選択図】  図１
2005128051.tif 000002
【特許請求の範囲】
【請求項１】
左右一対の脚部を有するスタンドを楽器本体の底面に取り付けるための鍵盤楽器のスタンド取付構造であって、
前記左右一対の脚部の各々の上端部に固定された脚部取付部と、この脚部取付部から側方に延び、上下方向に貫通する取付孔を有しかつ前記楽器本体が載置される本体取付部とを有する取付金具と、
この取付金具の前記取付孔に下方から挿入されるとともに、前記楽器本体の底部にねじ込まれた雄ねじと、
前記左右一対の脚部の各々の上面、および前記楽器本体の底面の左右の各端部のいずれか一方に、前記取付金具から左右方向に離れた位置に固定されたフック金具と、
前記左右一対の脚部の各々の上面、および前記楽器本体の底面の左右の各端部の他方に固定されるとともに、前記フック金具に係合するフック受け金具と、
を備えていることを特徴とする鍵盤楽器のスタンド取付構造。
【請求項２】
前記フック金具および前記フック受け金具は、互いに前後方向に係合するように構成されるとともに、互いに当接するストッパ部をそれぞれ有しており、
前記楽器本体の底面の左右の各端部に設けられ、前記ストッパ部が互いに当接したときに前記取付金具の前記取付孔に合致するとともに、前記雄ねじがねじ込まれる雌ねじを、さらに備えていることを特徴とする請求項１に記載の鍵盤楽器のスタンド取付構造。
【請求項３】
前記雌ねじは、外周面に抜止め用の複数の突起を有するとともに、当該複数の突起を介して、前記楽器本体の底部に埋設されたナットであることを特徴とする請求項２に記載の鍵盤楽器のスタンド取付構造。
【発明の詳細な説明】
【技術分野】
【０００１】
本発明は、例えば電子ピアノなどに適用され、楽器本体の底面にスタンドを取り付けるための鍵盤楽器のスタンド取付構造に関する。
【背景技術】
【０００２】
従来、この種の鍵盤楽器のスタンド取付構造として、例えば、本出願人が既に出願した特許文献１に記載のものが知られている。このスタンド取付構造では、スタンドおよび楽器本体がそれぞれ次のように構成されている。すなわち、スタンドは、互いに左右方向に所定間隔を隔てて設けられた左右一対の側板を有しており、各側板の内側上端部には、互いに前後方向に所定間隔を隔てて、前後一対の取付金具が取り付けられている。つまり、このスタンドには、合計４つの取付金具が取り付けられている。各取付金具は、所定形状の金属板を折り曲げ加工することなどによって、ほぼＬ字状に形成したものであり、側板にねじ止めされた縦長の側板固定部と、その上端から屈曲して水平に延び、雌ねじを有する棚板固定部とで構成されている。一方、楽器本体は、その底部に棚板を有しており、この棚板の左右両端部にはそれぞれ、前後方向に互いに若干離れた矩形および円形の２つの貫通孔を有する２組の取付孔が、前後方向に互いに間隔を隔てて設けられている。つまり、棚板には、合計４組の取付孔が設けられている。
【０００３】
上記のような楽器本体へのスタンドの取付けは、次のようにして行われる。すなわち、まず、スタンドを床などの水平な場所に設置する。次いで、そのスタンドに、楽器本体を上方から近づけ、スタンド上端部の４つの取付金具を、棚板の下方から、４組の取付孔の矩形の貫通孔にそれぞれ挿入させるとともに、楽器本体をスタンド上に載置する。この場合、各取付金具の棚板固定部は、棚板の上面よりも若干上側に位置する。その後、楽器本体をスタンドに対して前方へ若干スライドさせ、各取付金具の雌ねじを、棚板の各取付孔の円形の貫通孔に合致させる。そして、４本の雄ねじをそれぞれ、棚板の下方から、各取付孔の円形の貫通孔に挿入するとともに、ドライバーなどの工具を用いて、各取付金具の雌ねじにねじ込む。これにより、楽器本体へのスタンドの取付けが完了する。
【０００４】
このような従来のスタンド取付構造では、楽器本体へのスタンドの取付けの際に、スタンド側の４つの取付金具をそれぞれ、楽器本体側の４つの矩形の貫通孔に同時に挿入しなければならない。そのため、各貫通孔への取付金具の挿入が煩雑であり、スタンドの取付けに手間がかかってしまう。また、上記のような４つの取付金具を用いて、楽器本体にスタンドを取り付けた状態では、楽器本体の左右両端部のそれぞれにおいて、前後２個所でねじ止めされているため、楽器本体が前後方向に揺れることはほとんどない。しかし、各取付金具は、側板固定部がスタンドの側板に沿って設けられているため、楽器本体に左右方向の力が作用すると、取付金具の側板固定部が左右方向に撓み、その結果、楽器本体がスタンドに対し、左右方向にぐらついてしまうという問題がある。以上の点において、上記スタンド取付構造には改善の余地がある。
【０００５】
本発明は、以上のような課題を解決するためになされたものであり、楽器本体へのスタンドの取付けを簡単かつ迅速に行えるとともに、スタンドに対する楽器本体の左右方向のぐらつきを抑制することができる鍵盤楽器のスタンド取付構造を提供することを目的とする。
【０００６】
【特許文献１】特開２００２−２２１９６２号公報
【発明の開示】
【課題を解決するための手段】
【０００７】
本発明の請求項１に係る鍵盤楽器のスタンド取付構造は、左右一対の脚部を有するスタンドを楽器本体の底面に取り付けるための鍵盤楽器のスタンド取付構造であって、左右一対の脚部の各々の上端部に固定された脚部取付部と、この脚部取付部から側方に延び、上下方向に貫通する取付孔を有しかつ楽器本体が載置される本体取付部とを有する取付金具と、この取付金具の取付孔に下方から挿入されるとともに、楽器本体の底部にねじ込まれた雄ねじと、左右一対の脚部の各々の上面、および楽器本体の底面の左右の各端部のいずれか一方に、取付金具から左右方向に離れた位置に固定されたフック金具と、左右一対の脚部の各々の上面、および楽器本体の底面の左右の各端部の他方に固定されるとともに、フック金具に係合するフック受け金具と、を備えていることを特徴とする。
【０００８】
この構成によれば、楽器本体にスタンドを取り付ける場合にはまず、左右一対の脚部の各々の上面、および楽器本体の底面の左右の各端部のいずれか一方に固定されたフック金具を、他方に固定されたフック金具に係合させるとともに、左右の取付金具の本体取付部に楽器本体を載置させるように、楽器本体をスタンドに組み付ける。そして、雄ねじを、各取付金具の取付孔に下方から挿入し、楽器本体の底部にねじ込む。これにより、楽器本体へのスタンドの取付けが完了する。上記構成のスタンド取付構造では、左右の取付金具を利用したねじ止めに加えて、取付金具から左右方向に離れた位置に固定された左右のフック金具を、フック受け金具にそれぞれ係合させることによって、楽器本体にスタンドを連結して取り付けるので、スタンドに対する楽器本体の左右方向のぐらつきを抑制することができる。また、楽器本体へのスタンドの取付けの際には、フック金具をフック受け金具に係合させることにより、楽器本体とスタンドとの左右方向の位置決めを簡単かつ適正に行え、楽器本体へのスタンドの取付けを簡単かつ迅速に行うことができる。
【０００９】
請求項２に係る発明は、請求項１の鍵盤楽器のスタンド取付構造において、フック金具およびフック受け金具は、互いに前後方向に係合するように構成されるとともに、互いに当接するストッパ部をそれぞれ有しており、楽器本体の底面の左右の各端部に設けられ、ストッパ部が互いに当接したときに取付金具の取付孔に合致するとともに、雄ねじがねじ込まれる雌ねじを、さらに備えていることを特徴とする。
【００１０】
この構成によれば、フック金具およびフック受け金具が互いに前後方向に係合するように構成されているので、これらの金具を互いに完全に係合させることにより、両金具のストッパ部が互いに前後方向に当接する。そして、両ストッパ部が互いに当接した状態では、楽器本体の底面の左右の各端部に設けられた雌ねじが、取付金具の取付孔に合致するので、楽器本体とスタンドとの前後方向の位置決めも簡単かつ適正に行えるとともに、雄ねじを、取付孔を介して雌ねじに簡単にねじ込むことができる。これにより、楽器本体へのスタンドの取付けを、より一層簡単かつ迅速に行うことができる。
【００１１】
請求項３に係る発明は、請求項２の鍵盤楽器のスタンド取付構造において、雌ねじは、外周面に抜止め用の複数の突起を有するとともに、複数の突起を介して、楽器本体の底部に埋設されたナットであることを特徴とする。
【００１２】
この構成によれば、外周面に抜止め用の複数の突起を有するいわゆる鬼目ナットを、楽器本体の底部に埋設することにより、雄ねじをねじ込むための雌ねじを、楽器本体の底部に簡単かつ強固に設けることができ、このようなナットに雄ねじをねじ込むことによって、スタンドを楽器本体にしっかりと取り付けることができる。
【図面の簡単な説明】
【００１３】
【図１】本発明の一実施形態によるスタンド取付構造を適用した電子ピアノを示しており、（ａ）は正面図、（ｂ）は右側面図である。
【図２】（ａ）および（ｂ）はそれぞれ、図１（ａ）および（ｂ）の一点鎖線円内を拡大して示す図である。
【図３】フック金具を示しており、（ａ）は平面図、（ｂ）は右側面図、（ｃ）は背面図である。
【図４】取付金具を示しており、（ａ）は平面図、（ｂ）は右側面図、（ｃ）は背面図である。
【図５】フック受け金具を示しており、（ａ）は平面図、（ｂ）は右側面図、（ｃ）は背面図である。
【発明を実施するための最良の形態】
【００１４】
以下、図面を参照しながら、本発明の好ましい実施形態を詳細に説明する。図１は、本発明の一実施形態による鍵盤楽器のスタンド取付構造を適用した電子ピアノを示しており、図２の（ａ）および（ｂ）はそれぞれ、図１（ａ）および（ｂ）の一点鎖線円内を拡大するとともに、一部を破断して示している。これらの図に示すように、この電子ピアノ１（鍵盤楽器）は、ピアノ本体２（楽器本体）と、これを下方から支持するスタンド３とを備えている。なお、この電子ピアノ１では、ピアノ本体２の下面の左右両端部で、スタンド３が連結するように取り付けられており、それらの取付構造は互いに左右対称であるので、以下の説明では、主に右側の取付構造を示す図面を参照しながら説明するものとする。
【００１５】
ピアノ本体２は、その底部を構成する棚板４、左右一対の腕木５、５および上ケース部（図示せず）などにより、外殻のケースが構成されている。また、いずれも図示しないが、ピアノ本体２の前半部（図１（ｂ）の左半部）には、白鍵および黒鍵による多数の鍵盤が左右方向に並んで配置され、後半部（同図の右半部）の上ケース部上には、各種のスイッチなどを有するコントロールパネルが設けられている。さらに、ピアノ本体２の上部には、後端部を中心に回動自在に構成され、閉鎖時には鍵盤および上ケース部を覆うとともに、開放時には譜面台として利用可能な鍵盤蓋６が設けられている。
【００１６】
棚板４の左右両端部の所定位置にはそれぞれ、互いに前後方向（図２（ｂ）の左右方向）に所定距離、離れた位置に、後述する取付ねじ３６がねじ込まれる取付ナット１１、１１（雌ねじ）が固定されている。各取付ナット１１は、外周面に抜止め用の複数の突起１１ａを、上端部にフランジ１１ｂを有するいわゆる鬼目ナットであり、棚板４の下面とほぼ面一になるとともに棚板４の上面にフランジ１１ｂが当接するように、棚板４に上方から埋設された状態で取り付けられている。
【００１７】
また、棚板４の底面の左右両端部にはそれぞれ、取付ナット１１から左右方向の外側に離れた所定位置に、フック金具１２、１２が取り付けられている。図３に示すように、各フック金具１２は、所定形状の金属板を折り曲げ加工することなどによって、ほぼＬ字状に形成されており、フック金具１２自体を棚板４に取り付けるための取付部１３と、この取付部１３の端部から直角に屈曲して延び、後述するフック受け金具３２に係合するフック部１４とで構成されている。取付部１３には、２つの取付孔１３ａ、１３ａが形成されており、これらの取付孔１３ａ、１３ａを介して、フック金具１２が棚板４の下面にねじ止めされている。このように、フック金具１２を棚板４に取り付けた状態では、フック部１４が、取付部１３の前後方向の長さのほぼ２倍の長さ分、前方に延びている。
【００１８】
一方、スタンド３は、図１（ａ）に示すように、互いに左右方向に所定間隔を隔てて配置された左右一対のスタンド本体２１、２１（脚部）と、左右方向に延び、左右のスタンド本体２１、２１の上部間に取り付けられた横木部材２２とを一体に組み立てたものである。各スタンド本体２１は、縦長ボックス状に形成されており、上部には、ピアノ本体２に電気的に接続されたスピーカ２３が内蔵されている。また、各スタンド本体２１の前面には、図示しない蝶番を介して、上下方向に延びる軸線を中心に回動自在の開閉ドア２４が取り付けられており、スタンド本体２１内のスピーカ２３の下方に、楽譜やヘッドホンなどを収納可能な収納スペース２５が設けられている。
【００１９】
また、各スタンド本体２１の上面の所定位置には、互いに左右方向に間隔を隔てて、取付金具３１およびフック受け金具３２が取り付けられている。
【００２０】
図４に示すように、取付金具３１は、所定形状の金属板を折り曲げ加工することなどによって、階段状に形成されており、取付金具３１自体をスタンド本体２１に取り付けるためのスタンド側取付部３３（脚部取付部）と、その端部から直角に屈曲して延びる起立部３４と、この起立部３４のスタンド側取付部３３と反対側の端部から直角に屈曲して、スタンド側取付部３３と反対側に延び、ピアノ本体２の棚板４にねじ止めされるピアノ本体側取付部３５（本体取付部）とで構成されている。
【００２１】
これらのスタンド側取付部３３、起立部３４およびピアノ本体側取付部３５はいずれも、横長矩形状に形成されるとともに、長辺部分で互いに連なっている。スタンド側取付部３３には、２つの取付孔３３ａ、３３ａが形成されており、これらの取付孔３３ａ、３３ａを介して、取付金具３１が、前後方向に延びるように、スタンド本体２１の上面の所定位置にねじ止めされている。また、ピアノ本体側取付部３５は、スタンド側取付部３３および起立部３４よりも若干長く形成されるとともに、互いに上記取付ナット１１、１１と同じ距離、前後方向に離れた位置にそれぞれ、上下方向に貫通した取付孔３５ａ、３５ａを有している。
【００２２】
一方、フック受け金具３２は、図５に示すように、所定形状の金属板を折り曲げ加工することなどによって、ほぼコ字状に形成されており、フック受け金具３２自体をスタンド本体２１に取り付けるためのスタンド側取付部３７と、その端部から直角に屈曲して延びる起立部３８と、この起立部３８のスタンド側取付部３７と反対側の端部から直角に屈曲して、スタンド側取付部３７と同じ方向に延び、上記フック金具１２に係合するフック受け部３９とで構成されている。
【００２３】
これらのスタンド側取付部３７、起立部３８およびフック受け部３９はいずれも、横長矩形状に形成されるとともに、長辺部分で互いに連なっている。スタンド側取付部３７には、２つの取付孔３７ａ、３７ａが形成されており、これらの取付孔３７ａ、３７ａを介して、フック受け金具３２が、前後方向に延びかつコ字状の開口部分がスタンド３の内方に向くように、スタンド本体２１の上面の所定位置にねじ止めされている。また、フック受け部３９は、スタンド側取付部３７および起立部３８のほぼ１／２の長さを有し、起立部３８の前半部から連なっている。なお、フック受け部３９の前端部に形成された貫通孔３９ａは、フック受け金具３２の前端部をねじ止めする際に、工具を挿入するためものである。
【００２４】
次に、上記のように構成された電子ピアノ１において、ピアノ本体２へのスタンド３の取付手順について簡単に説明する。
【００２５】
まず、スタンド３を、図１に示すように、床Ｆなどの水平な場所に立てた状態で設置する。次いで、そのスタンド３上にピアノ本体２を載置する。この場合、ピアノ本体２の左右のフック金具１２、１２を、スタンド３の左右のフック受け金具３２の後部、より具体的には、フック受け金具３２のフック受け部３９の後方に位置させるように、ピアノ本体２を載置する。これにより、ピアノ本体２は、底部の棚板４がスタンド３の左右の取付金具３１、３１のピアノ本体側取付部３５、３５と、左右のフック受け金具３２、３２のフック受け部３９、３９とによって、下方から支持された状態で、載置される。
【００２６】
次いで、ピアノ本体２を前方へスライドさせる。この場合、フック金具１２のフック部１４は、フック受け金具３２の起立部３８に案内されるとともに、フック受け金具３２のフック受け部３９の下側に入り込むように、前方へ移動する。そして、フック金具１２の取付部１３とフック部１４との屈曲部分の前端１２ａ（ストッパ部）が、フック受け金具３２のフック受け部３９の後端３９ｂ（ストッパ部）に当接する。このように、フック金具１２の上記前端１２ａが、フック受け金具３２の上記後端３９ｂに当接し、フック金具１２がフック受け金具３２に完全に係合した状態では、ピアノ本体２側の左右それぞれの２つの取付ナット１１、１１が、スタンド３側の左右それぞれの取付金具３１、３１の２つの取付孔３５ａ、３５ａに合致する。その後、取付ねじ３６（雄ねじ）を、各取付金具３１の２つの取付孔３５ａ、３５ａに下方からそれぞれ挿入するとともに、取付ナット１１、１１にねじ込む。以上により、ピアノ本体２へのスタンド３の取付作業が完了する。
【００２７】
以上詳述したように、本実施形態によれば、左右の取付金具３１、３１を利用したねじ止めに加えて、それらの取付金具３１、３１から左右方向に離れた位置に固定された左右のフック金具１２、１２を、フック受け金具３２、３２にそれぞれ係合させることによって、ピアノ本体２にスタンド３を連結して取り付けるので、スタンド３に対するピアノ本体２の左右方向のぐらつきを抑制することができる。また、ピアノ本体２へのスタンド３の取付けの際に、左右のフック金具１２、１２をそれぞれ、左右のフック受け金具３２、３２に完全に係合させることにより、ピアノ本体２とスタンド３との前後左右の位置決めを簡単かつ適正に行え、各取付ナット１１を取付金具３１の取付孔３５ａに合致させることができるので、各取付ねじ３６を、取付金具３１の取付孔３５ａを介して、取付ナット１１に簡単にねじ込むことができる。これにより、ピアノ本体２へのスタンド３の取付けを、簡単かつ迅速に行うことができるとともに、スタンド３をピアノ本体２にしっかりと取り付けることができる。
【００２８】
なお、本発明は、説明した上記実施形態に限定されることなく、種々の態様で実施することができる。例えば、実施形態では、フック金具１２をピアノ本体２側に取り付ける一方、フック受け金具３２をスタンド３側に取り付けたが、フック金具１２およびフック受け金具３２の取付け位置の関係を逆にしてもよい。すなわち、フック金具１２をスタンド３側に取り付け、フック受け金具３２をピアノ本体２側に取り付けてもよい。
【００２９】
また、スタンド３の左右のフック受け金具３２、３２を、スタンド３の左右のスタンド本体２１、２１上に取り付ける際に、前方に向かって互いに接近するように、若干斜めに取り付けるようにしてもよい。この場合には、フック金具１２がフック受け金具３２に完全に係合した状態において、左右のフック金具１２のフック部１４を、左右のフック受け金具３２の起立部３８にそれぞれ接触させることが可能となる。これにより、ピアノ本体２へのスタンド３の取付けの際に、ピアノ本体２とスタンド３との左右方向の位置決めをより精度良く行えるとともに、ピアノ本体２にスタンド３を取り付けた状態において、スタンド３に対するピアノ本体２の左右方向のぐらつきを、大幅に抑制することができる。
【００３０】
また、実施形態で示したピアノ本体２やスタンド３、さらには取付金具３１やフック金具１２、フック受け金具３２の細部の構成などは、あくまで例示であり、本発明の趣旨の範囲内で適宜、変更することができる。
【符号の説明】
【００３１】
１    電子ピアノ（鍵盤楽器）
２    ピアノ本体（楽器本体）
３    スタンド
４    棚板
６    鍵盤蓋
１１    取付ナット（雌ねじ、ナット）
１１ａ  突起
１２    フック金具
１４    フック部
２１    スタンド本体（脚部）
３１    取付金具
３２    フック受け金具
３３    スタンド側取付部（脚部取付部）
３５    ピアノ本体側取付部（本体取付部）
３５ａ  取付孔
３６    取付ねじ（雄ねじ）
【図１】
2005128051.tif 000003
【図２】
2005128051.tif 000004
【図３】
2005128051.tif 000005
【図４】
2005128051.tif 000006
【図５】
2005128051.tif 000007